(57)【要約】【課題】  本発明は構造が簡単で、容易に設置することができ、雨水の浸入も確実に阻止することができる安価な外壁パネルを得るにある。【解決手段】  上端部が上部位置の下端部内に入る大きさに形成された、上端部より下端部が大きく形成されたチャンネル状の外壁パネル本体と、この外壁パネル本体の一側部に外方へ突出するように一体成形されたアングル状の支持片と、前記外壁パネル本体の他側部に先端部が外方へ突出し、隣り合う外壁パネル本体の前記支持片が挿入される支持片挿入凹部ができるように一体成形されたほぼチャンネル状の取付け片とで外壁パネルを構成している。【選択図】  図６
2015040424.tif 000002
【特許請求の範囲】
【請求項１】
上端部が上部位置の下端部内に入る大きさに形成された、上端部より下端部が大きく形成されたチャンネル状の外壁パネル本体と、この外壁パネル本体の一側部に外方へ突出するように一体成形されたアングル状の支持片と、前記外壁パネル本体の他側部に先端部が外方へ突出し、隣り合う外壁パネル本体の前記支持片が挿入される支持片挿入凹部ができるように一体成形されたほぼチャンネル状の取付け片とからなることを特徴とする外壁パネル。
【請求項２】
外壁パネル本体は上端部の寸法よりも下端部の寸法が、該外壁パネル本体の厚さ寸法よりも大きくなる寸法となる傾斜となるように形成されていることを特徴とする請求項１記載の外壁パネル。
【発明の詳細な説明】
【技術分野】
【０００１】
本発明は複数枚の外壁パネルを上下方向に設置する外壁を設ける場合に使用される外壁パネルに関する。
【背景技術】
【０００２】
従来、この種の外壁は下部位置の外壁パネルと上部位置の外壁パネルとの間に水切ジョイントを介装して上方へ継いでいる。
このため、構造が複雑となり、設置に手数がかかり、コスト高になるという欠点があった。
また、水切ジョイントを介装しても十分に雨水の浸入を阻止することができないという欠点があった。
【先行技術文献】
【特許文献】
【０００３】
【特許文献１】特開２００８−２８０７３２号公報
【発明の概要】
【発明が解決しようとする課題】
【０００４】
本発明は以上のような従来の欠点に鑑み、構造が簡単で、容易に設置することができ、雨水の浸入も確実に阻止することができる安価な外壁パネルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上端部が上部位置の下端部内に入る大きさに形成された、上端部より下端部が大きく形成されたチャンネル状の外壁パネル本体と、この外壁パネル本体の一側部に外方へ突出するように一体成形されたアングル状の支持片と、前記外壁パネル本体の他側部に先端部が外方へ突出し、隣り合う外壁パネル本体の前記支持片が挿入される支持片挿入凹部ができるように一体成形されたほぼチャンネル状の取付け片とで外壁パネルを構成している。
【発明の効果】
【０００７】
以上の説明から明らかなように、本発明にあっては次に列挙する効果が得られる。
（１）請求項１により、外壁パネル本体の上端部を上部位置の外壁パネル本体の下端部に差し込んで接続することができる。
したがって、下部位置の外壁壁パネル本体と上部位置の外壁パネル本体は差し込んで接続されているので、従来のように水切ジョイントを設けなくてもよく、低コストで外壁を設置することができる。
（２）前記（１）により、差し込み状態で上下方向に接続できるので、外壁を上下方向のラインで構成でき、美観の向上を図ることができる。
（３）前記（１）により、下部位置の外壁パネル本体の上端部を上部位置の外壁パネル本体の下端部で覆うように差し込み接続できる。
したがって、雨水は上部位置の外壁パネル本体の上端部から下端部へ流れ落ち、下部位置の外壁パネル本体の上端部へ流れ落ちるため、内部へ浸入したりするのを確実に防止することができる。
（４）請求項２も前記（１）〜（３）と同様な効果が得られるとともに、外壁パネル本体を直線状態で形成することができ、容易に製造することができる。
【図面の簡単な説明】
【０００８】
【図１】本発明を実施するための第１の形態の正面図
【図２】本発明を実施するための第１の形態の平面図。
【図３】本発明を実施するための第１の形態の背面図。
【図４】本発明を実施するための第１の形態の右側面図。
【図５】本発明を実施するための第１の形態の左側面図。
【図６】本発明を実施するための第１の形態の上下方向に接続した状態の説明図。
【図７】本発明を実施するための第１の形態の使用状態の説明図。
【図８】本発明を実施するための第２の形態の正面図。
【図９】本発明を実施するための第２の形態の平面図。
【図１０】本発明を実施するための第２の形態の上下方向に接続した状態の説明図。
【発明を実施するための形態】
【０００９】
以下、図面に示す本発明を実施するための形態により、本発明を詳細に説明する。
【００１０】
図１ないし図７に示す本発明を実施するための第１の形態において、１は外壁２を設ける場合に使用される、例えば１ｍｍ厚さの鉄板、アルミ板、アルミ合金板、ステンレス板、ステンレス合金板等で形成された本発明の外壁パネルで、この外壁パネル１は上端部が上部位置の下端部内に入る大きさ、例えば上端部の幅寸法が２００ｍｍで、下端部の幅寸法が２０４ｍｍ、高さ寸法が例えば４ｍ、一側部の折り曲げ部３が例えば１７ｍｍ、他側部の折り曲げ部４が、例えば上部が１４ｍｍ、下部が１７ｍｍに形成されたチャンネル状の外壁パネル本体５と、この外壁パネル本体５の一側部の折り曲げ部３の先端部より例えば３０ｍｍ外方へ突出し、先端部より後方へ上部が例えば１３ｍｍ、下部が例えば１０ｍｍ突出するように一体成形されたアングル状の支持片６と、前記外壁パネル本体５の他側部の折り曲げ部４の先端部より、先端部が外方へ突出し、隣り合う外壁パネル本体５の支持片６が挿入される支持片挿入凹部７ができるように、該折り曲げ部４の先端部に一体成形されたほぼチャンネル状の取付け片８とで構成されている。
【００１１】
前記取付け片８は前記他方の折り曲げ部４の先端部より内側へ突出する、例えば１８ｍｍの接続部材９と、この接続部材９の先端部と一体成形された上部が１５ｍｍ、下部が１２ｍｍの一方の側板１０、この側板１０と一体成形された上部が例えば４８ｍｍ、下部が４５ｍｍの取付け片板１１、この取付け片板１１と一体成形された、例えば１３ｍｍの他方の側板１２とからなるチャンネル状の取付け片本体１３とで構成されている。
【００１２】
上記構成の外壁パネル１を用いて外壁２を設ける場合、図７に示すように外壁２を設ける部位に設置した複数個の支柱１４に、所定間隔で水平に配置した複数個の横桟１５に外壁パネル１の上端部を上方に位置させ、取付け片８部で複数本のタッピングビス１６で横桟１５に固定する。
【００１３】
しかる後、固定された外壁パネル１の上端部を下端部で覆うようにして、上部に外壁パネル１を位置させ、前述と同様に取付け片８部で、複数本のタッピングビス１６で横桟１５に固定する。
このような作業を順次行なって、上方へ外壁パネル１を取付ける。
【００１４】
なお、前記支持片６側が外壁２の端部に位置する場合には、該部をクランク状の取付け金具１７等を用いて固定する。
【００１５】
次に、固定された外壁パネル１の取付け片８の支持片挿入凹部７内に外壁パネル１の支持片６を挿入し、取付け片８部で複数本のタッピングビス１６で横桟１５に固定する。
【００１６】
しかる後、隣の外壁パネル１と接続された外壁パネルの上部に、隣りの外壁パネル１の取付け片８の支持片挿入凹部７内に支持片６を挿入した外壁パネル１の下端で覆うように位置させ、取付け片８部で複数本のタッピングビス１６で横桟１５に固定する。
【００１７】
このような作業を順次繰り返し行なって、外壁２を構成する。
【００１８】
なお、前記本発明の実施の形態では下部位置より順次上部へ外壁パネル１を取付けるものについて説明したが、これに限らず、上部位置より順次下部へ外壁パネル１を取付けて、外壁２を設けても同様に実施することができる。
【００１９】
[発明を実施するための異なる形態]
次に、図８ないし図１０に示す本発明を実施するための異なる形態につき説明する。なお、この本発明を実施するための異なる形態の説明に当って、前記本発明を実施するための第１の形態と同一構成部分には同一符号を付して重複する説明を省略する。
【００２０】
図８ないし図１０に示す本発明を実施するための第２の形態において、前記本発明を実施するための第１の形態と主に異なる点は、支持片６の先端部に外方へ数ミリメートル突出させた支持突片１８と、取付け片８の他方の側板１２Ａを取付け板１１に対し、鈍角となるように形成した点で、このように形成した外壁パネル１Ａにしても、前記本発明を実施するための第１の形態と同様な作用効果が得られるとともに、上下位置の外壁パネル１Ａ、１Ａの接続作業を楽に行なうことができる。
【産業上の利用可能性】
【００２１】
本発明は外壁に用いる外壁パネルを製造する産業で利用される。
【符号の説明】
【００２２】
１、１Ａ：外壁パネル、    ２：外壁、
３：一側部の折り曲げ部、    ４：他側部の折り曲げ部、
５：外壁パネル本体、    ６：支持片、
７：支持片挿入凹部、    ８：取付け片、
９：接続部材、      １０：一方の側板、
１１：取付け片板、      １２、１２Ａ：他方の側板、
１３：取付け片本体、    １４：支柱、
１５：横桟、        １６：タッピングビス、
１７：取付け金具、      １８：支持突片。
【図１】
2015040424.tif 000003
【図２】
2015040424.tif 000004
【図３】
2015040424.tif 000005
【図４】
2015040424.tif 000006
【図５】
2015040424.tif 000007
【図６】
2015040424.tif 000008
【図７】
2015040424.tif 000009
【図８】
2015040424.tif 000010
【図９】
2015040424.tif 000011
【図１０】
2015040424.tif 000012